(57)【特許請求の範囲】
【請求項１】
物理レイヤでのデータ転送を行う伝送網を構成する複数の伝送装置と、伝送路によって前記伝送装置に接続された複数のパケット転送装置とからなるパケット転送システムにおけるパケット転送装置であって、
前記伝送装置に接続された伝送路を収容して物理レイヤを終端し、前記伝送装置との間でパケットと切換状態情報を送受信し、前記伝送装置から受信したパケットをパケット転送処理部へ送信すると共に前記切換状態情報を切換状態情報処理部へ送信し、前記パケット転送処理部から受信したパケットを前記伝送装置へ送信する物理レイヤ終端インタフェース部と、
パケットのヘッダ情報と、該ヘッダ情報を有するパケットを出力すべき物理レイヤ終端インタフェース部を指示する情報とが対応付けられたパケット転送テーブルを記憶している記憶部と、
前記物理レイヤ終端インタフェース部からパケットを受信し、前記パケット転送テーブルを参照することにより、前記受信したパケットのヘッダ情報に応じて出力すべき物理レイヤ終端インタフェース部を決定し、該決定した物理レイヤ終端インタフェース部に前記受信したパケットを送信する前記パケット転送処理部と、
前記物理レイヤ終端インタフェース部から切換状態情報を受信し、該受信した切換状態情報に基づいて、前記パケット転送テーブルを書き換える切換状態情報処理部とを備えている
ことを特徴とするパケット転送装置。
【請求項２】
物理レイヤでのデータ転送を行う伝送網を構成する複数の伝送装置と、伝送路によって前記伝送装置に接続された複数のパケット転送装置とからなるパケット転送システムにおける伝送装置であって、
前記パケット転送装置に接続された伝送路を収容し、前記パケット転送装置との間でパケットと切換状態情報を送受信し、前記パケット転送装置から受信したパケットを物理レイヤフレームのままでスイッチへ送信し、前記スイッチから受信したパケットを前記パケット転送装置へ送信し、切換状態情報処理部から受信した切換状態情報を前記パケット転送装置へ送信する物理レイヤ中継インタフェース部と、
前記物理レイヤ中継インタフェース部から受信した物理レイヤフレームを所定の物理レイヤ中継インタフェース部へ送信する前記スイツチと、
故障発生時に前記伝送網内での故障切換を行うか否か及び故障切換が可能か不可能かを確認し、故障切換を行わないまたは故障切換が不可能である場合にその旨の切換状態情報を前記物理レイヤ中継インタフェース部へ送信する前記切換状態情報処理部とを備えている
ことを特徴とする伝送装置。
【請求項３】
物理レイヤでのデータ転送を行う伝送網を構成する複数の伝送装置と、伝送路によって前記伝送装置に接続された複数のパケット転送装置とからなるパケット転送システムにおいて、
前記伝送網内の故障発生時に物理レイヤでの故障切換が所定時間以内に実施不可能であることを検出したときに、物理レイヤでの故障切換が所定時間以内に実施不可能であることを表す切換状態情報を前記パケット転送装置に送信する伝送装置と、
前記伝送装置から前記切換状態情報を受信し、該受信した切換状態情報に基づいてネットワークレイヤでの故障切換を制御するパケット転送装置とを備えている
ことを特徴とするパケット転送システム。
【請求項４】
物理レイヤでのデータ転送を行う伝送網を構成する複数の伝送装置と、伝送路によって前記伝送装置に接続された複数のパケット転送装置とからなるパケット転送システムにおけるネットワーク故障復旧方法であって、
前記伝送装置は、前記伝送網内の故障発生時に物理レイヤでの故障切換が所定時間以内に実施不可能であることを検出したときに、物理レイヤでの故障切換が所定時間以内に実施不可能であることを表す切換状態情報を前記パケット転送装置に送信し、
前記切換状態情報を受信した前記パケット転送装置はネットワークレイヤでの故障切換を行う
ことを特徴とするネットワーク故障復旧方法。
【請求項５】
前記伝送網内の故障発生時に物理レイヤでの故障切換が所定時間以内に実施可能であれば実施し、物理レイヤでの故障切換が所定時問を超えて実施可能である場合は実施するか否かの情報を切換状態情報として前記伝送装置から前記パケット転送装置に送信する
ことを特徴とする請求項４に記載のネットワーク故障復旧方法。
【発明の詳細な説明】
【０００１】
【発明の属する技術分野】
本発明は、複数の伝送装置とパケット転送装置により構成されるパケット転送システムにおいて、故障発生時の高速復旧を実現し、システムの信頼性を向上させることができるパケット転送装置、伝送装置、パケット転送システム及びネットワーク故障復旧方法に関するものである。
【０００２】
【従来の技術】
従来、インターネットに代表されるネットワークを利用したパケット通信が急速に普及している。このネットワークを構成するパケット転送システムは、例えば、物理レイヤでのデータ転送を行う伝送網を構成する伝送装置と、伝送路を介して伝送装置に接続されたパケット転送装置により構成されている。
【０００３】
上記パケット転送システムにおけるパケット転送装置は、物理レイヤ終端インタフェース（以下、インタフェースをＩＦと称する）部と、パケット転送テーブルを記憶する記憶部、パケット転送処理部から構成されている。
【０００４】
物理レイヤ終端ＩＦ部は、伝送装置に接続された伝送路を収容して物理レイヤを終端し、伝送装置との間でパケットを送受信し、伝送装置から受信したパケットをパケット転送処理部へ送信すると共にパケット転送処理部から受信したパケットを伝送装置へ送信する。
【０００５】
パケット転送テーブルは、パケットのヘッダ情報と該ヘッダ情報を有するパケットを出力すべき物理レイヤ終端ＩＦ部を表す情報とが対応付けられたエントリから構成される。
【０００６】
パケット転送処理部は、物理レイヤ終端ＩＦ部から受信したパケットを、パケット転送テーブルを参照することにより、ヘッダ情報に応じて出力すべき物理レイヤ終端ＩＦ部を決定し送信する。
【０００７】
伝送装置は、物理レイヤ中継ＩＦ部と、スイッチから構成されている。
【０００８】
物理レイヤ中継ＩＦ部は、パケット転送装置に接続された伝送路を収容し、パケット転送装置との間でパケットを送受信し、パケット転送装置から受信したパケットを物理レイヤフレームのままスイッチへ送信すると共にスイッチから受信したパケットをパケット転送装置へ送信する。
【０００９】
スイッチは、物理レイヤ中継ＩＦ部から受信した物理レイヤフレームを所定の物理レイヤ中継ＩＦ部へ送信する。
【００１０】
伝送装置は、物理レイヤでの故障切換の機能として物理パス切換機能を有し、物理パスに故障が発生した場合に、別の正常な物理パスにトラフィックを転送する。
【００１１】
パケット転送装置は、ネットワークレイヤでの故障切換の機能としてネットワーク経路切換機能を有し、ネットワーク経路を複数設定しておき、１つのネットワーク経路に故障が発生した場合に、そのネットワーク経路上で転送されていたトラフィックを残りの正常なネットワーク経路に転送する。
【００１２】
上記の伝送装置とパケット転送装置で構成されたパケット転送システムでは、故障が発生した際に、物理レイヤ故障切換とネットワークレイヤ故障切換を組み合わせて故障復旧を行っている。即ち、故障が発生した際に、物理レイヤでの切換をまず行う。次に、予備用リソースが無いなどの理由のために物理レイヤでの切換が実施不能な場合に、ネットワークレイヤでの切換を行う。
【００１３】
また、伝送網は、伝送網内に故障が発生した際に、伝送路を終端する装置であるパケット転送装置に対して伝送装置から故障通知アラームを送信する機能を有している。これにより、パケット転送装置は、伝送網から故障通知アラームを受信することによって故障を検知することができる。
【００１４】
【発明が解決しようとする課題】
しかし、ネットワークレイヤ切換は物理レイヤ切換の後に動作するよう、切換処理の順序を制御する必要がある。このため、ネットワークレイヤ切換を行う際には、故障を検知した後に切換開始まで十分な時間をおき、物理レイヤでの切換が動作不能であることを確認しなければならない。ネットワークレイヤの切換開始までに十分な時間を取らないと、ネットワークレイヤの切換を行った後に物理レイヤの故障切換が動作してしまうことがある。このようにネットワークレイヤの切換を行った後に物理レイヤの故障切換が行われると、ネットワークレイヤの切換によって障害が復旧したネットワーク経路が物理レイヤの切換によって再度変更され、ネットワーク経路の状態が不安定になってしまう。
【００１５】
従って、前述した従来のパケット転送システムでは、ネットワークレイヤ切換を行う際に切換開始までに時間がかかり、障害発生から切換完了までの切換所要時間が長いという問題点があった。
【００１６】
本発明の目的は上記の問題点に鑑み、ネットワークレイヤ切換を行う際の切換開始までの時間を削減することにより切換所要時間を短縮し、信頼性の高いパケット転送装置と、伝送装置、パケット転送システムを提供することである。
【００１７】
【課題を解決するための手段】
上記の目的を達成するため、本発明のパケット転送装置は、物理レイヤでのデータ転送を行う伝送網を構成する複数の伝送装置と、伝送路によって前記伝送装置に接続された複数のパケット転送装置とからなるパケット転送システムにおけるパケット転送装置であって、前記伝送装置に接続された伝送路を収容して物理レイヤを終端し、前記伝送装置との間でパケットと切換状態情報を送受信し、前記伝送装置から受信したパケットをパケット転送処理部へ送信すると共に前記切換状態情報を切換状態情報処理部へ送信し、前記パケット転送処理部から受信したパケットを前記伝送装置へ送信する物理レイヤ終端インタフェース部と、パケットのヘッダ情報と、該ヘッダ情報を有するパケットを出力すべき物理レイヤ終端インタフェース部を指示する情報とが対応付けられたパケット転送テーブルを記憶している記憶部と、前記物理レイヤ終端インタフェース部からパケットを受信し、前記パケット転送テーブルを参照することにより、前記受信したパケットのヘッダ情報に応じて出力すべき物理レイヤ終端インタフェース部を決定し、該決定した物理レイヤ終端インタフェース部に前記受信したパケットを送信する前記パケット転送処理部と、前記物理レイヤ終端インタフェース部から切換状態情報を受信し、該受信した切換状態情報に基づいて、前記パケット転送テーブルを書き換える切換状態情報処理部とを備えていることを特徴とする。
【００１８】
本発明のパケット転送装置は、前記物理レイヤ終端ＩＦ部により前記伝送装置との間で切換状態情報を送受信する点と前記切換状態情報処理部を備えている点が、従来例のパケット転送装置と異なる。
【００１９】
このような本発明のパケット転送装置によれば、伝送装置との間で切換状態情報を送受信することができ、該切換状態情報を用いてネットワークレイヤでの切換を制御することができる。このため、適切な切換状態情報を伝送装置との間で交換することにより、故障発生からネットワークレイヤ切換の開始までの時間を短縮することが可能である。
【００２０】
また、上記の目的を達成するため、本発明の伝送装置は、物理レイヤでのデータ転送を行う伝送網を構成する複数の伝送装置と、伝送路によって前記伝送装置に接続された複数のパケット転送装置とからなるパケット転送システムにおける伝送装置であって、前記パケット転送装置に接続された伝送路を収容し、前記パケット転送装置との間でパケットと切換状態情報を送受信し、前記パケット転送装置から受信したパケットを物理レイヤフレームのままでスイッチへ送信し、前記スイッチから受信したパケットを前記パケット転送装置へ送信し、切換状態情報処理部から受信した切換状態情報を前記パケット転送装置へ送信する物理レイヤ中継インタフェース部と、前記物理レイヤ中継インタフェース部から受信した物理レイヤフレームを所定の物理レイヤ中継インタフェース部へ送信する前記スイツチと、故障発生時に前記伝送網内での故障切換を行うか否か及び故障切換が可能か不可能かを確認し、故障切換を行わないまたは故障切換が不可能である場合にその旨の切換状態情報を前記物理レイヤ中継インタフェース部へ送信する前記切換状態情報処理部とを備えていることを特徴とする。
【００２１】
本発明の伝送装置は、前記物理レイヤ中継ＩＦ部によりパケット転送装置との間で切換状態情報を送受信する点と前記切換状態情報処理部を備えている点が、従来例の伝送装置と異なる。
【００２２】
このような本発明の伝送装置によれば、物理レイヤ切換の実施状態を確認することができ、それを切換状態情報としてパケット転送装置との間で送受信することができる。このため、パケット転送装置では前記切換状態情報に応じてネットワークレイヤ切換を適切に制御することができ、故障発生からネットワークレイヤ切換の開始までの時間を短縮することが可能である。
【００２３】
また、上記の目的を達成するため、本発明のパケット転送システムは、物理レイヤでのデータ転送を行う伝送網を構成する複数の伝送装置と、伝送路によって前記伝送装置に接続された複数のパケット転送装置とからなるパケット転送システムにおいて、前記伝送網内の故障発生時に物理レイヤでの故障切換が所定時間以内に実施不可能であることを検出したときに、物理レイヤでの故障切換が所定時間以内に実施不可能であることを表す切換状態情報を前記パケット転送装置に送信する伝送装置と、前記伝送装置から前記切換状態情報を受信し、該受信した切換状態情報に基づいてネットワークレイヤでの故障切換を制御するパケット転送装置とを備えていることを特徴とする。
【００２４】
このような本発明のパケット転送システムによれば、パケット転送装置と伝送装置の間で切換状態情報として物理レイヤでの故障切換状態の情報を共有し、物理レイヤでの切換とネットワークレイヤでの切換を連携させることができる。このため、故障発生からネットワークレイヤ切換の開始までの時間を短縮することが可能である。
【００２５】
さらに、伝送網内の故障発生後、物理レイヤでの故障切換に要する時間と同等以下の短時間で、物理レイヤでの故障切換が所定時間以内に実施不可能であることをパケット転送装置が検知することができため、故障発生からネットワークレイヤ切換の開始までの時間を短縮することが可能である。
【００２６】
また、上記の目的を達成するため、本発明のネットワーク故障復旧方法は、物理レイヤでのデータ転送を行う伝送網を構成する複数の伝送装置と、伝送路によって前記伝送装置に接続された複数のパケット転送装置とからなるパケット転送システムにおけるネットワーク故障復旧方法であって、前記伝送装置は、前記伝送網内の故障発生時に物理レイヤでの故障切換が所定時間以内に実施不可能であることを検出したときに、物理レイヤでの故障切換が所定時間以内に実施不可能であることを表す切換状態情報を前記パケット転送装置に送信し、前記切換状態情報を受信した前記パケット転送装置はネットワークレイヤでの故障切換を行うことを特徴とする。
【００２７】
このような本発明のネットワーク故障復旧方法によれば、パケット転送装置は伝送網での故障切換を実施しないことを検知することができるので、検知後即時にネットワークレイヤでの切換を行うことができる。このため、故障発生からネットワークレイヤ切換開始までの時間を短縮することが可能である。
【００２８】
さらに、伝送網内の故障発生後、物理レイヤでの故障切換に要する時間と同等以下の短時間で、物理レイヤでの故障切換が所定時間以内に実施不可能であることをパケット転送装置が検知することができため、故障発生からネットワークレイヤ切換の開始までの時間を短縮することが可能である。
【００２９】
さらに、本発明のネットワーク故障復旧方法は、伝送網内の故障発生時に物理レイヤでの故障切換が所定時間以内に実施可能であれば実施し、物理レイヤでの故障切換が所定時問を超えて実施可能である場合は実施するか否かの情報を切換状態情報として前記伝送装置から前記パケット転送装置に送信することを特徴とする。
【００３０】
これにより、故障発生時に可能な物理レイヤ切換の所要時間に応じて柔軟に故障切換を実施することができる。
【００３１】
【発明の実施の形態】
以下、図面に基づいて本発明の一実施形態を説明する。
【００３２】
図１は本発明の一実施形態におけるパケット転送システムの構成例を示す図である。図において、１はパケット転送システムで、物理レイヤでのデータ転送を行う伝送網２を構成する伝送装置４１〜４５と、所定の伝送装置４１〜４５に対して伝送路を介して接続されたパケット転送装置３１〜３６を含むものである。
【００３３】
伝送網２においては、伝送装置４３が伝送装置４１，４２，４４，４５に接続されると共にパケット転送装置３４に接続されている。
【００３４】
また、パケット転送装置３１は、伝送路６１，６２を介してユーザネットワーク１１，１２と接続されると共に、伝送路５１を介して伝送装置４１に接続されている。
【００３５】
パケット転送装置３２は、伝送路６３，６４を介してユーザネットワーク１３，１４と接続されると共に、伝送路５２を介して伝送装置４２に接続されている。
【００３６】
パケット転送装置３３は伝送路５３を介して伝送装置４１に接続され、パケット転送装置３４は伝送路５４を介して伝送装置４３に接続されている。
【００３７】
パケット転送装置３５は、伝送路６５，６６を介してユーザネットワーク１５，１６と接続されると共に、伝送路５５を介して伝送装置４４に接続されている。
【００３８】
パケット転送装置３６は、伝送路６７，６８を介してユーザネットワーク１７，１８と接続されると共に、伝送路５６を介して伝送装置４５に接続されている。
【００３９】
尚、伝送装置４１〜４５としては波長多重光クロスコネクトを用いることができ、パケット転送装置３１〜３６としてはＩＰルータを用いることができる。この場合、物理レイヤとしてＷＤＭを用いることができ、またネットワークレイヤとしてＩＰを用いることができる。
【００４０】
パケット転送装置３１〜３６は、ユーザネットワーク１１〜１８を収容すると共に、伝送装置４１〜４５から切換状態情報を受信し、この切換状態情報に基づいてネットワークレイヤでの故障切換を制御する。
【００４１】
伝送装置４１〜４５は、物理レイヤでの故障切換状態を検出し、パケット転送装置３１〜３６に切換状態情報を送信する。
【００４２】
このようなパケット転送システム１によれば、パケット転送装置３１〜３６と伝送装置４１〜４５との間で切換状態情報として物理レイヤでの故障切換状態の情報を共有し、物理レイヤでの切換とネットワークレイヤでの切換を連携させることができる。このため、故障発生からネットワークレイヤ切換の開始までの時間を短縮することが可能である。
【００４３】
図２はパケット転送装置３１〜３６の構成例を示す図である。尚、図２においてはパケット転送装置３１の構成とその接続状態を一例として描いてあるが、パケット転送装置自体の構成は、パケット転送テーブル111の内容を除いて全てのパケット転送装置３１〜３６において同じである。
【００４４】
パケット転送装置３１は、パケット転送テーブル111を記憶している記憶部117と、切換状態情報処理部112、パケット転送処理部113、物理レイヤ終端ＩＦ部114〜116から構成されている。
【００４５】
パケット転送テーブル111は、パケットのヘッダ情報と該ヘッダ情報を有するパケットを出力すべき物理レイヤ終端ＩＦ部114〜116を指定する情報とが対応付けられたエントリから構成されている。
【００４６】
切換状態情報処理部112は、物理レイヤ終端ＩＦ部114から切換状態情報を受信し、受信した切換状態情報に基づいて、パケット転送テーブル111を書き換える。
【００４７】
パケット転送処理部113は、物理レイヤ終端ＩＦ部114〜116からパケットを受信し、パケット転送テーブル111を参照することにより、前記受信したパケットが有するヘッダ情報に応じて出力すべき物理レイヤ終端ＩＦ部114〜116を決定し、前記受信したパケットを送信する。
【００４８】
物理レイヤ終端ＩＦ部114は、伝送装置４１に接続された伝送路５１を収容して物理レイヤを終端し、伝送装置４１との間でパケットと切換状態情報を送受信し、伝送装置４１から受信したパケットをパケット転送処理部113へ送信すると共に、切換状態情報を切換状態情報処理部112へ送信し、パケット転送処理部113から受信したパケットを伝送装置４１へ送信する。
【００４９】
物理レイヤ終端ＩＦ部115，116は、ユーザネットワーク１１，１２に接続された伝送路６１，６２を収容して物理レイヤを終端し、ユーザネットワーク１１，１２との間でパケットを送受信し、ユーザネットワーク１１，１２から受信したパケットをパケット転送処理部113へ送信すると共に、パケット転送処理部113から受信したパケットをユーザネットワーク１１，１２へ送信する。
【００５０】
図３は、伝送装置４１〜４５の構成例を示す図である。尚、図３においては伝送装置４１の構成とその接続状態を一例として描いてあるが伝送装置自体の構成は、全ての伝送装置４１〜４６において同じである。
【００５１】
伝送装置４１は、切換状態情報処理部211と、スイッチ212、物理レイヤ中継ＩＦ部213〜215から構成されている。
【００５２】
切換状態情報処理部211は、故障発生時に伝送網２内での故障切換を行うか行わないかの確認及び故障切換が可能か不可能かの確認を行い、故障切換を行わない場合または故障切換が不可能である場合にその旨を表す切換状態情報を物理レイヤ中継ＩＦ部213へ送信する。
【００５３】
スイッチ212は、物理レイヤ中継ＩＦ部213〜215から受信した物理レイヤフレームを所定の物理レイヤ中継ＩＦ部213〜215へ送信する。
【００５４】
物理レイヤ中継ＩＦ部213，214は、パケット転送装置３１，３３にそれぞれ接続された伝送路５１，５３を収容し、伝送路５１，５３を介してパケット転送装置３１，３３との間でパケットと切換状態情報を送受信し、パケット転送装置３１，３３から受信したパケットを物理レイヤフレームのままスイッチ212へ送信すると共に、スイッチ212から受信したパケットをパケット転送装置３１，３３へ送信し、切換状態情報処理部211から受信した切換状態情報をパケット転送装置３１，３３へ送信する。
【００５５】
物理レイヤ中継ＩＦ部215は、伝送装置４３に接続された伝送路を収容し、伝送装置４３との間でパケットを送受信し、伝送装置４３から受信したパケットを物理レイヤフレームのままスイッチ212へ送信すると共に、スイッチ212から受信したパケットを伝送装置４３へ送信し、切換状態情報処理部211から受信した切換状態情報を伝送装置４３へ送信する。
【００５６】
次に、前述したパケット転送システム１におけるネットワーク故障復旧方法の一例を、図４及び図５に示すフローチャートを参照して説明する。尚、図４は故障発生時における伝送装置４１〜４５の故障復旧処理を説明するフローチャートであり、図５は故障発生時におけるパケット転送装置３１〜３６の故障復旧処理を説明するフローチャートである。また、ここで説明するネットワーク故障復旧方法は、前述したパケット転送装置３１〜３６と伝送装置４１〜４５とからなるパケット転送システム１を用いて故障復旧を行う方法の一具体例である。
【００５７】
伝送装置４１〜４５は、故障発生を検出すると、物理レイヤでの故障切換が所定時間以内に実施可能であるか否かを判定し（ＳＡ１）、物理レイヤでの故障切換が所定時間以内に実施可能であるときは、物理レイヤでの故障切換を実施する（ＳＡ２）。
【００５８】
また、上記ＳＡ１の判定の結果、前記所定時間以内に物理レイヤでの故障切換が実施不可能である場合は、前記所定時間を超えて物理レイヤでの故障切換を実施可能であるか否かを判定する（ＳＡ３）。
【００５９】
この判定の結果、前記所定時間を超えて物理レイヤでの故障切換を実施可能である場合は、実施するか否かの情報を切換状態情報としてパケット転送装置３１〜３６に送信する（ＳＡ４）。
【００６０】
また、物理レイヤでの故障切換が所定時間以内に実施不可能である場合、或いは前記所定時間を超えての物理レイヤでの故障切換を実施しない場合は、この旨の切換状態情報をパケット転送装置３１〜３６に送信する（ＳＡ５）。
【００６１】
一方、パケット転送装置３１〜３６は、伝送網２において発生した故障に関する切換状態情報を伝送装置４１〜４５から受信し（ＳＢ１）物理レイヤ切換が所定時間以内に実施不可能であることを検出する（ＳＢ２）。
【００６２】
次いで、パケット転送装置３１〜３６は、受信した切換状態情報に基づいてパケット転送テーブル111を書き換えて（ＳＢ３）、このパケット転送テーブル111に従ってネットワークレイヤでの故障切換を実施する（ＳＢ４）。
【００６３】
尚、前述した実施形態は本発明の一具体例であって、本発明が上記実施形態のみに限定されることはない。
【００６４】
【発明の効果】
以上説明したように本発明のパケット転送装置、伝送装置、パケット転送システム及びネットワーク故障復旧方法によれば、物理レイヤでの故障切換が所定時間以内に実施不可能である場合、それを伝送装置が検出し、その情報を切換状態情報として伝送装置からパケット転送装置に送信し、その切換状態情報を受信したパケット転送装置が時間を空けることなく即時にネットワークレイヤでの故障切換を実施することができる。これにより、従来の技術ではネットワークレイヤ切換を行う際に故障を検出した後に切換開始まで十分な時間を置く必要があったが、この時間を省くことができるので、切換所要時間を短縮することができる。従って、信頼性の高いパケット転送システムを提供することができる。
【図面の簡単な説明】
【図１】  本発明のパケット転送システムの構成例を示す図である。
【図２】  本発明のパケット転送装置の構成例を示す図である。
【図３】  本発明の伝送装置の構成例を示す図である。
【図４】  本発明の伝送装置におけるネットワーク故障復旧処理を説明するフローチャート。
【図５】  本発明のパケット転送装置におけるネットワーク故障復旧処理を説明するフローチャート。
【符号の説明】
１…パケット転送システム、２…伝送網、１１〜１４，２１〜２４…ユーザネットワーク、３１〜３６…パケット転送装置、４１〜４５…伝送装置、111…パケット転送テーブル、112…切換状態情報処理部、113…パケット転送処理部、114〜116…物理レイヤ終端ＩＦ部、117…記憶部、211…切換状態情報処理部、212…スイッチ、213〜215…物理レイヤ中継ＩＦ部。
【図１】
0003785370.tif 000002
【図２】
0003785370.tif 000003
【図３】
0003785370.tif 000004
【図４】
0003785370.tif 000005
【図５】
0003785370.tif 000006